(57)【要約】      （修正有）【課題】店舗内に複数台設置されるもので、温度制御装置を標準搭載し、また照明装置を有するショーケースを集中管理装置で一括して管理制御する場合に、照明装置の電力が低減され、ショーケースのランニングコストをより一層削減することが可能なものである。【解決手段】人感センサー２６及び照度センサー２７を一個或いは複数個設け、これらの検知出力を温度制御装置２４に導入し、温度制御装置２４にて適切な照度を演算、あらかじめ設定された照度パターンと近似したものを選択後、集中管理装置２３に通信線を介し照度データを送信し、集中管理装置２３は対象ショーケースの温度制御装置２４に照度データを送信し、温度制御装置２４は照明装置２５に電圧変換した信号を送信し、照明装置２５は入力電圧に基づき照度出力を調整する。【選択図】図１
2011250990.tif 000002
【特許請求の範囲】
【請求項１】
店舗内に複数台設置されるもので、温度制御装置を標準搭載し、また照明装置を有するショーケースを集中管理装置で一括して管理制御する場合に、
人感センサー及び照度センサーを一個或いは複数個設け、人感センサー及び照度センサーの検知出力を温度制御装置に導入し、
温度制御装置にて適切な照度を演算、あらかじめ設定された照度パターンと近似したものを選択後、
集中管理装置に通信線を介し照度データを送信し、
集中管理装置は対象ショーケースの温度制御装置に照度データを送信し、
温度制御装置は照明装置に電圧変換した信号を送信し、照明装置は入力電圧に基づき照度出力を調整することを特徴とするショーケースの照明制御システム。
【発明の詳細な説明】
【技術分野】
【０００１】
本発明は、スーパーマーケットやコンビニエンスストアなどに設置されるショーケースの照明制御システムに関する。
【背景技術】
【０００２】
ショーケースのうち冷凍冷蔵オープンショーケースは、周知のごとく例えば図３に示すように、前面に商品出し入れ用の開口２を有し、断熱壁で形成されるショーケース本体１の内部をダクト板３で商品収納庫４と冷気循環ダクト５とに区画し、該冷気循環ダクト５内に冷却器９を配設し、冷気循環ダクト５の下端を空気の吸込口６に、上端を冷気の吹出口７に形成し、該吹出口７から吹き出す冷気で開口２に冷気エアカーテンを形成し商品収納庫４内を冷却するとともに、庫内への外気の侵入を防いでいる。
【０００３】
この場合、吹出口７に吹き出す冷気の温度を検知する温度センサー８を設けるとともに、冷却器９に吹き出す冷気の温度を設定する温度制御装置１０を接続し、温度センサー８で検知される冷気の吹き出し温度が温度制御装置１０に設定した温度になるよう別途設置した制御装置で冷却器９のオンオフを制御している。
【０００４】
そして、夜間などの閉店時には開口２の上部に巻き取り収納してあるナイトカバー１１を引き下ろして、庫内への外気の侵入を防ぐ。図中１２は、商品収納庫４内に設置した商品の陳列棚１３の下面に取り付けた庫内を照明する蛍光灯等の照明灯を示しこの照明灯１２は夜間には消灯する。
【０００５】
下記特許文献にもあるが、図４に示すように、複数台連結された冷凍冷蔵オープンショーケースでは、照明灯１２は、蛍光灯を制御する照明装置１５に接続される。１６は各ショーケース本体１の蛍光灯等の照明器具へ電力を供給すると共に信号を供給する信号線としての渡り線、１７は所定時間にこの渡り線１６に対してＡＣ１００Ｖ／２００Ｖの電圧を投入するタイマである。
【特許文献１】特開平６−３２５８７４号公報
【０００６】
このシステムにおいては、例えば、予め決められた客の少ない時間帯にタイマ１７により電圧が信号線に供給され、渡り線１６を介して各ショーケース本体１の照明装置１５が一斉にオンとなって、複数台連結されたショーケース本体１内の照明器具の光量を一斉に調光（減光）している。
【０００７】
しかしながら、上記例のように予め決められた時間に調光を行っていたのでは、店舗内に人はいないのにショーケースの照明が点灯しているといった、無駄な運転をする問題があった。また、複数台のショーケースを一斉に調光する制御を行っているので、人のいるショーケースと人のいないショーケース毎の適切な運用が行われないという問題もあった。
【０００８】
そこで下記特許文献は、急激な客の増減のようなイレギュラーな時間対変化に対応可能で、また、それぞれのショーケースが自律分散で最適な運転を行うことができるショーケースシステムを提供するもので、商品を展示するショーケース１８、展示商品を照明する照明手段１９及び前記照明手段１９の制御を行う照明制御手段２０を有するショーケースシステムにおいて、人間の存在を検出する人間検知手段２１を備え、前記人間検知手段２１により得られる信号に基づき、前記照明制御手段２０がショーケースの照明手段１９を制御するようにした。
【特許文献２】特開平１１−２６０５７０号公報
【０００９】
前記特許文献２によれば、人間検知手段を設け、人間の存在の有無に基づいて照明手段を制御するようにしたので、無駄のない効率的な照明運転が可能になる。また、各ショーケースが自律分散で照明運転を行うことができ、それぞれのショーケースで最適な照明運転を行うことができる。また、人間検知手段からの信号はリアルタイムで受信できるので急激な負荷変動に追随が容易となり、事前にショーケースの運転時間を決めるスケジュール運転の場合と比較して、負荷の変化に対応する柔軟な運転を行うことができる。
【発明の開示】
【発明が解決しようとする課題】
【００１０】
しかし、前記特許文献２では、人間の存在の有無に基づいて照明手段を制御するようにしただけであり、店舗に併設されているショーケースには、庫外・庫内及び棚に照明を設置し陳列商品を照らしているが、人がいる場合は、店舗の照明が非常に明るい場合でも常時一定の明るさで商品を照らしている。
【００１１】
また、２４時間営業の店舗では夜間客が少ない時間帯でも、人間検知手段が作動し、同様に一定の明るさである為、ランニングコストがかさむものである。
【００１２】
本発明は前記不都合を解消し、照明装置の電力が低減され、ショーケースのランニングコストをより一層削減することが可能であるショーケースの照明制御システムを提供することにある。
【課題を解決するための手段】
【００１３】
前記目的を達成するため請求項１記載の本発明は、店舗内に複数台設置されるもので、温度制御装置を標準搭載し、また照明装置を有するショーケースを集中管理装置で一括して管理制御する場合に、人感センサー及び照度センサーを一個或いは複数個設け、人感センサー及び照度センサーの検知出力を温度制御装置に導入し、温度制御装置にて適切な照度を演算、あらかじめ設定された照度パターンと近似したものを選択後、集中管理装置に通信線を介し照度データを送信し、集中管理装置は対象ショーケースの温度制御装置に照度データを送信し、温度制御装置は照明装置に電圧変換した信号を送信し、照明装置は入力電圧に基づき照度出力を調整することを要旨とするものである。
【００１４】
請求項１記載の本発明によれば、人感センサー及び照度センサーの検知出力を温度制御装置を介して照明装置に反映させるものであり、店舗の照明の明るさと、客の有無の両方の状態において、照明装置の電力を制御し、ショーケースのランニングコストを削減することが可能となる。
【発明の効果】
【００１５】
以上述べたように本発明のショーケースの照明制御システムは、店舗内に複数台設置されるもので、温度制御装置を標準搭載し、また照明装置を有するショーケースを集中管理装置で一括して管理制御する場合に、照明装置の電力が低減され、ショーケースのランニングコストをより一層削減することが可能なものである。
【発明を実施するための最良の形態】
【００１６】
以下、図面について本発明の実施形態を詳細に説明する。図１は本発明のショーケースの照明制御システムの１実施形態を示すブロック図で、スーパーマーケットなどの店舗内にショーケースが複数台設置され、図中２３は集中管理装置で、これらのショーケースの庫内温度や照明点灯などの設定を各ショーケースごとに行わずに信号線を介して一括して集中制御する。
【００１７】
各ショーケースは、庫内の温度を検出する温度センサーと、検知温度や運転状況をデータとした各種データを所定の送信データに変換して所定のタイミングでもって出力する温度制御装置２４と、温度制御装置２４で出力された送信信号を信号線に伝送するためのインターフェースとを備え、一方、集中管理装置２３は、各ショーケースからの伝送されてきた各種データの内容に応じ、ショーケースの運転状況を表示したり、必要に応じて管理を表示する装置を備えている。
【００１８】
温度制御装置２４は、前記図３で説明したように、吹出口７に吹き出す冷気の温度を検知する温度センサー８等（冷気吸込口に吸い込まれた冷気の温度を検出する吸気温度センサーと、陳列室内の温度を測定する温度測定手段とを含む場合もある）で検知される冷気の吹き出し温度が設定した温度になるよう別途設置した制御装置で冷却器９のオンオフを制御するものである。
【００１９】
温度制御装置２４には検知出力信号が導入されるものとして、人感センサー２６及び照度センサー２７を一個或いは複数個設けた。
【００２０】
人感センサー２６は、人間を検知する人間検知手段で、例えば赤外線センサーを用い、それをショーケース本体１の前面に設けている。
【００２１】
照度センサー２７は、店舗内の照度を検知するもので、店舗内の任意の箇所に設置されるものである。
【００２２】
温度制御装置２４は、照度センサー２７からの検知出力を受け、適切な照度を演算、あらかじめ設定された照度パターンと近似したものを選択する。
【００２３】
このようにして、本発明は、ショーケースの島ごとに、人感センサー２６及び照度センサー２７を一個或いは複数個設け、店舗内照度及び人の有無を検知
し、ショーケースに標準搭載している温度制御装置２４にて適切な照度を演算、あらかじめ設定された照度パターンと近似したものを選出する。
【００２４】
温度制御装置２４にて適切な照度を演算、あらかじめ設定された照度パターンと近似したものを選出された結果は、集中管理装置２３に通信線を介して照度データが送られる。
【００２５】
集中管理装置２３は対象ショーケースの温度制御装置２４に照度データを送信する。
【００２６】
集中管理装置２３から照度データを送信された温度制御装置２４は照明装置２５に電圧変換した信号を送信し、照明装置２５は入力電圧に基づき図３における照明灯１２等の照度出力を調整する。
【００２７】
なお、集中管理装置２３からも個々のショーケースの島ごとにマニュアルで照度データを送信することが可能である。
【図面の簡単な説明】
【００２８】
【図１】本発明のショーケースの照明制御システムの１実施形態を示すブロック図である。
【図２】従来例を示すブロック図である。
【図３】冷凍冷蔵オープンショーケースの縦断側面図である。
【図４】従来例を示す構成図である。
【符号の説明】
【００２９】
１  ショーケース本体                ２  開口
３  ダクト板                        ４  商品収納庫
５  冷気循環ダクト                  ６  吸込口
７  吹出口                          ８  温度センサー
９  冷却器                          １０  温度制御装置
１１  ナイトカバー                  １２  照明灯
１３  陳列棚                        １４  温度センサー
１５  照明装置                      １６  渡り線
１７  タイマ                        １８  ショーケース
１９  照明手段                      ２０  照明制御手段
２１  人間検知手段                  ２３  集中管理装置
２４  温度制御装置                  ２５  照明装置
２６  人感センサー                  ２７  照度センサー
【図１】
2011250990.tif 000003
【図２】
2011250990.tif 000004
【図３】
2011250990.tif 000005
【図４】
2011250990.tif 000006